(57)【要約】      （修正有）【課題】広告付き名刺状カードを使用して、低コストで、カード所有者を広告主の商品・サービスを購入するように誘導する広告システムを提供する。【解決手段】事業者は、広告付きカード提供サービスの顧客会員に親ユーザとなって広告付きカードを複数の人に配布し、親ユーザからカードを受け取った人が、カードに付された事業者の広告に関連する店舗に出向くよう誘導する。カードの各々に、顧客会員の希望する事業者情報と共に、事業者が選択したデザインの広告と広告に関連する所定の特典情報と、識別コード及び所定のサイト情報を包含させたＱＲコード識別情報とを表示し、店舗識別コードと顧客ユーザの連絡先情報とが送信されると、カードに付された特典情報に対応する電子クーポンを顧客ユーザの端末に表示させる。【選択図】図１
2015185155.tif 000002
【特許請求の範囲】
【請求項１】
管理事業者は、広告付きカード提供サービスの顧客会員に親ユーザとなって広告付きカードを複数の人に配布し、前記管理事業者から前記カードを受け取った人が、当該カードに付された広告に関連する店舗に出向くよう誘導する広告とサービス提供・授受方法であって、
前記カードの各々に、前記顧客会員の希望する店舗情報と共に、当該店舗が選択したデザインの広告と当該広告に関連する所定の特典情報と固有のＱＲコード識別情報とを表示し、且つ、前記ＱＲコードには当該カードに識別コード及び所定のサイト情報を包含させ、
前記顧客ユーザの各々の端末がネットワークを介してアクセス可能な管理事業者サーバ装置を設け、
前記カードの各々に付された前記カード識別コードと、当該カードに付された前記店舗の広告に対応する広告情報及び特典情報と、前記会員の識別コードとを関連づけて、前記管理事業者のサーバ装置内のデータベースに保存し、
前記カードに付された前記サイト情報に基づいて、前記顧客ユーザの端末が所定の管理事業者のサイトにアクセスして、前記データベースを検索すると、当該カードに付されている前記ＱＲコードから当該カードを配布した前記店舗会員を特定し、
前記管理事業者のサーバに、店舗識別コードと前記顧客ユーザの連絡先情報とを前記顧客ユーザの端末を用いて送信すると、前記管理事業者のサーバから要望する店舗の状況と識別コードと当該顧客ユーザの連絡先情報とが送信されて、当該カードに付された前記特典情報に対応する電子クーポンを当該顧客ユーザの端末に表示させて、その当該カードによって前記店舗にてサービス、商品などの提供を受けることができるになっていることを特徴とするカードによる顧客増大と広告システム。
【請求項２】
広告付きカード提供サービスが管理事業者となって広告付きカードを複数の人に配布し、前記管理事業者から前記カードを受け取った人が、それぞれ、他の顧客ユーザとして当該カードに付された広告に関連するネットショップにアクセスするよう誘導する広告とサービス提供・授受方法であって、前記カードの各々に、前記店舗の希望する事業情報と共に、当該店舗会員が選択したデザインの広告と当該広告に関連する所定の特典情報と固有のＱＲコードによる識別情報とを表示し、且つ、前記ＱＲコード識別情報には当該カードに固有の識別コード、前記ネットショップのサイト情報及び前記ネットショップの店舗識別状況を包含させ、前記ネットショップとの間でデータ通信が管理事業者サーバ装置を設け、前記カードの各々に付された前記カード識別コードと、当該カードに付された前記広告に対応する広告情報及び特典情報と、前記会員の識別コードとを関連づけて、前記サーバ装置内のデータベースに保存し、前記カードに付された前記ネットショップのサイト情報に基づいて、前記顧客の端末が前記ネットショップのサイトにアクセスすると、前記データベースを検索して、当該カードに付されている前記カードにおける識別コードから当該カードを配布した前記店舗会員を特定し、前記ネットショップのサイトを通じて前記店舗会員の連絡先情報と前記店舗識別コードを前記サーバ装置に転送し、
前記サーバ装置が前記顧客の端末から前記店舗会員のネットショップでの購買を行うとの情報を受信すると、店舗会員としてメッセージを当該顧客の端末に表示させ、当該顧客の端末から情報を受信すると、前記データベースを検索して、当該カードに付された前記特典情報に対応する特典を当該顧客に付与する旨を当該顧客の端末に表示することを特徴とするカードによる顧客増大と広告システム。
【請求項３】
店舗会員が申込時に前記カードに付されるデザインと広告内容とを複数個表示され、それらデザインと広告内容との中から自己の嗜好に合わせて、前記カードの申込時に、他の店舗会員と同一デザインと広告を付した前記カードが同一或いは、類似したものが存在しているが判定した後に、前記店舗会員に対して当該カードを発行できるようにしていることを特徴とする請求項１または２に記載のカードによる顧客増大と広告システム。
【請求項４】
前記広告付きカード提供サービスが、店舗会員の広告主がアクセス可能な広告申込用サイトを有しており、当該広告申込用サイトを通じてオンラインで広告デザイン用の画像と文言が送信され、広告付きカード提供サービスが店舗会員となって広告付きカードを複数の人に配布し、前記管理事業者又は店舗会員から前記カードを受け取った人が、それぞれ、顧客会員として当該カードに付された広告に関連する店舗に出向くよう誘導する広告、サービス提供・授受システムであって、
前記顧客会員の各々の端末がネットワークを介してアクセス可能な管理事業者サーバ装置と、前記サーバ装置内に設けられたデータベースとを備え、前記カードの各々には、前記事業者の希望する企業情報と共に、当該事業者会員が選択したデザインの広告と説明文など当該広告に関連する所定の特典情報と固有の情報とが表示され、且つ、前記カード識別情報には当該カードに固有の識別コード及び所定のサイト情報を包含せしめられて、
前記データベースには、前記カードの各々に付された前記識別コードと、当該カードに付された前記広告に対応する広告情報及び特典情報と、前記会員の識別コードとが関連づけて保存されており、
前記カードに付された前記サイト情報に基づいて、前記顧客の端末が所定の管理事業者のサイトにアクセスすると、前記データベースを検索して、当該カードに付されている店舗会員のＱＲコードの識別コードから当該カードを配布した前記店舗会員を特定し、前記顧客の連絡先情報とを前記顧客の端末を用いて所定の管理事業者サイトに送信すると、当該カードに付された前記特典情報に対応する電子クーポンを当該店舗ユーザの端末に表示されていることを特徴とする請求項１〜請求項３のいずれかに記載のカードによる顧客増大と広告システム。
【発明の詳細な説明】
【技術分野】
【０００１】本発明は、ビジネスで一般的に使用されているカードを用いる広告方法及び広告システムに関する。さらに言えば、本発明は、管理事業者がカードを発行して、店舗所有者の希望する広告（例えば、特定企業のロゴやブランド、当該企業の製品・サービスに関する広告等）及び特典が記載されたカードを、登録された顧客ユーザ（会員）に提供し、会合等でその顧客ユーザの知人・友人等に当該カードを配布してもらうこと、そして、そのカードを受け取った知人・友人等に店舗会員である広告主のロゴ・ブランドや製品・サービスを知ってもらうと共に、当該知人・友人等及び顧客会員を広告主に関連する店舗等に勧誘することを通じて、高い広告効果を得るとともに顧客の増大を意図した広告システムに関する。
【背景技術】
【０００２】インターネットに接続可能な携帯電話などの移動端末が従来より存在している。この携帯電話に、各地の買い物情報、レストラン情報、イベント（催し物）情報、観光案内情報などをインターネットで配信することも、知られている。【０００３】またインターネットで送られて来る商品やサービスの情報を用いて、希望の商品・サービスを購入した場合に、購入額などに基づいて所定の割引サービスを受けられるようにすることも従来行われている。この場合、購入額などの条件によってポイントを付与し、このポイントを購入者ごとに蓄積しておくポイントシステムも広く知られている。【０００４】このポイントシステムは、蓄積したポイント数によって割引額を決定したり、一定ポイント数に達すると景品と交換できるようにして、販売の促進を図るものである。この場合、購入者ごとにポイントを蓄積し、管理する必要がある。このため従来は購入者にポイントカードを所持させ、購入時ごとにこのポイントカードを販売店に提示して、ポイントカードにスタンプを押したりしていた。【０００５】値引き・景品・ノベルティ・優待等の各種特典が受けられるようにしたクーポンは、従来、商品やサービスの販売促進等のためにしばしば使用されている。他方、近年のＩＴ（Ｉｎｆｏｒｍａｔｉｏｎ  Ｔｅｃｈｎｏｌｏｇｙ，情報技術）とインターネット、そして携帯電話機、ＰＤＡ（Ｐｅｒｓｏｎａｌ  Ｄｉｇｉｔａｌ  Ａｓｓｉｓｔａｎｔ）のような携帯端末や移動端末の発展・普及に伴い、これらを用いたネット販売方法及びシステム、ネット広告方法及びシステムが種々、考案されている。【０００６】例えば、近年普及しつつあるブログ（ｂｌｏｇ）を利用した広告サービスが考案され、実施されている。このサービスは、特定のブログのユーザ（以下、ブログ・ユーザともいう）が自身の名刺をインターネット上の所定サイトで申し込むことができ、申し込むと、表面に自分の氏名やニックネーム・連絡先、裏面に特定企業の広告を付したカードが作製・送付されるというものである。このようなカードでの広告は、当該広告サービス提供企業が任意に決めるようになっており、ユーザは名刺に付される広告の広告主やそのデザインを選ぶことはできない。また、一つのカードに対して複数の広告主が割り当てられているため、そのカードには常に同じ企業の広告が付されるわけではない。【０００７】また、割引クーポンなどのサービスを手軽に受けることができる「電子商取引システム」が開示されている。この電子商取引システムは、移動体端末（例えば携帯電話機）の表示画面に出力可能で入力端末（例えばバーコードリーダ）により読み取り可能な形態の識別情報（例えばバーコード）を送信する手段（例えばサーバシステム）と、前記入力端末により前記移動体端末から読み取られた前記識別情報を認証する手段（例えば認証サーバ）とを有するものである（特許文献１参照）。【０００８】この電子商取引システムでは、携帯電話、ＰＨＳなどを含めた携帯情報端末、さらには車載の端末なども含めた移動体端末に対し、表示画面に出力可能で入力端末により読み取りできる形態の識別情報を送信する手段により、その識別情報を移動体端末に提供できる。その際に、インターネット等のコンピュータネットワークが利用される。したがって、移動体端末を有するユーザは、その識別情報が必要とされるサービスを受けるときはいつでも移動体端末の表示画面にその識別情報を表示させることができる。【０００９】またターゲットを絞った広告を希望する広告主の要求と、低廉な名刺を希望する名刺使用者の要求の双方を満たす名刺を得ることができるカードが開示されている。このカードは、表面に記載された名刺使用者の個人名などの表示と無関係の広告が、裏面に表示されたものである。カードの裏面に広告を印刷することは以前から行われているが、従来の一般的な方法では、カード使用者が所属する企業等の広告であった。裏面に表示される広告が表面に記載される名刺使用者とは無関係である点で、従来の一般的な名刺形状タイプカードとは異なる（特許文献２参照）。【００１０】上記のカードが配布されると、その名刺などカードを受け取った者には、表面に記載されたカード使用者の情報と共に、裏面の広告情報も伝達される。カード使用者がカードを配布する相手は、カード使用者と属性に共通点がある場合が多いと考えられるから、カード使用者の属性に合わせた広告を名刺の裏面に表示しておくと、そのカードを受け取った者も当該広告の対象として適した属性を持つ者である可能性が高く、効果の高い広告媒体となる。【００１１】クーポンをより効率よく発行することができる「クーポン発行方法」が開示されている。このクーポン発行方法は、インターネットに接続可能な携帯電話を利用して、前記携帯電話のディスプレイに表示された画像をクーポンとして使用するものである。携帯電話の使用者は、ディスプレイに表示された画像をクーポンとして使用する。つまり、その画像がいわゆる「電子クーポン」となる。したがって、携帯電話の使用者は、インターネット上の適当なウェブサイトにアクセスし、クーポンとして使用される画像（つまり電子クーポン）を自己の携帯電話のディスプレイに表示させ、それを店舗等で提示すれば、当該クーポンをプリントすることなく料金割引等の特典を受けることができ、便宜である。（特許文献３参照）。【００１２】広告付きカードを使用して、低コストで高い広告効果が期待できると共に、カード所有者を広告主の商品・サービスを購入するように誘導する効果も期待できる広告方法と広告システムを提供する（特許文献４参照）。【００１３】購入者はポイントカードなどを携行する必要が無く、ポイントカードの紛失によってポイントを失って無駄にするおそれがなく、また個人情報流出のおそれがなくなるようにする方法が提案されている（特許文献５参照）。【００１４】店舗内に設置され、料金を投入するコインリピータを、インターネットを介して管理サーバに接続することにより、サービスを提供する装置の利用状況を把握し、携帯電話のカメラで読み取ったＱＲコードの情報を、利用者が管理サーバに送信することにより、利用者と洗濯機の特定を行う。これによって従来のポイントカードが不要となり、無人の店舗の利用者に対しても、様々な特典サービスを提供できる方法が提案されている（特許文献６参照）。
【先行技術文献】
【特許文献】
【００１５】
【特許文献１】特開２００１−２５６３８８号公報
【特許文献２】特開２００１−１２１８５６号公報
【特許文献３】特開２００２−１０９３５３号公報
【特許文献４】特開２００７−１４０６６７号公報
【特許文献５】特開２００４−０７０７１４号公報
【特許文献６】特開２００９−２７１８９９号公報
【発明の概要】
【発明が解決しようとする課題】
【００１６】このため商品・サービスの購入者は自分のポイントカードを携行しなければならず、面倒であった。またこのカードは紛失することが多く、途中まで蓄積したポイントが無駄になるという問題があった。さらにポイントカードを新たに作る場合には、その度に購入者の個人情報を申告しなければならない。このため個人情報の流出の危険性が高くなり、秘密保持に不安が生じ易いという問題もあった。【００１７】この発明はこのような事情に鑑みなされたものであり、購入者はポイントカードなどを携行する必要が無く、ポイントカードの紛失によってポイントを失って無駄にするおそれがなく、また個人情報流出のおそれがなくなるようにした販売情報での顧客増大方法を提供することを目的として、この方法の実施にカードを直接使用する広告と販売拡大の管理システムを提供することも目的とする。【００１８】職務関係の各種セミナーやオフ会に参加する社会人は、参加者同士で名刺、カードを交換配布することが多い。最近、電話番号・メールアドレスの告知や自己紹介を簡略化、効率化するために、コンパ、パーティ等の会合でカードを交換することが増えている。家庭の主婦も通常、若年者と同様に名刺を持っていないが、独自の広告付きカードがあれば、ＰＴＡ会合やパ−ティで配ることができて便利であろう。【００１９】このように、最近は、社会人以外においてもカードの需要が増加しつつある。そこで、カードにその所有者に係る組織とは関係のない広告を付しておけば、カードを受け取った人の目に触れることが多いから、高い広告効果が得られると期待される。上述のブログを利用した広告サービスもこの点を考慮したものであろう。また、いわゆるクーポンを容易に利用できるようにしたものであるが、これらは、電子クーポンによって特典を利用しやすくして、広告主の商品またはサービスの売上増加を期待できるからであると推測される。【００２０】最近、企業間競争の激化により、広告主にとってはいっそう高い広告効果が求められている。また、会員向けに名刺状カードを発行する企業にとっては、カードの発行に伴って会員数が増加すれば好都合である。さらに、カードのユーザにとっては、広告だけでなく何らかの特典が付いていれば、友人等に名刺状カードを配布しやすくなるし、その知人等は受け取ったカードを使って広告主の商品またはサービスを購入しようという意欲が生じやすい。そして、カードを配布した当該ユーザがいくらかの報酬、サービスを得られることになれば、名刺状カードを配布しようとする意欲も増すであろう。このような要望を満たすサービスがあれば、これら三者にとって有益であると思われる。【００２１】本発明は、上述したような事情を考慮してなされたもので、その目的とするところは、広告付きの名刺状カードを使用することによって低コストでいっそう高い広告効果が期待できる広告方法と、その広告方法を実現する広告システムを提供することにある。本発明の他の目的は、カードを受け取った人を広告に関連する店舗等に効果的に勧誘できる広告方法と、その広告方法を実現する広告システムを提供することにある。
【課題を解決するための手段】
【００２２】管理事業者は、広告付きカード提供サービスの顧客会員に親ユーザとなって広告付きカードを複数の人に配布し、前記管理事業者から前記カードを受け取った人が、当該カードに付された広告に関連する店舗に出向くよう誘導する広告とサービス提供・授受方法であって、前記カードの各々に、前記顧客会員の希望する店舗情報と共に、当該店舗が選択したデザインの広告と当該広告に関連する所定の特典情報と固有のＱＲコード識別情報とを表示し、且つ、前記ＱＲコードには当該カードに識別コード及び所定のサイト情報を包含させ、前記顧客ユーザの各々の端末がネットワークを介してアクセス可能な管理事業者サーバ装置を設け、前記カードの各々に付された前記カード識別コードと、当該カードに付された前記店舗の広告に対応する広告情報及び特典情報と、前記会員の識別コードとを関連づけて、前記管理事業者のサーバ装置内のデータベースに保存し、前記カードに付された前記サイト情報に基づいて、前記顧客ユーザの端末が所定の管理事業者のサイトにアクセスして、前記データベースを検索すると、当該カードに付されている前記ＱＲコードから当該カードを配布した前記店舗会員を特定し、前記管理事業者のサーバに、店舗識別コードと前記顧客ユーザの連絡先情報とを前記顧客ユーザの端末を用いて送信すると、前記管理事業者のサーバから要望する店舗の状況と識別コードと当該顧客ユーザの連絡先情報とが送信されて、当該カードに付された前記特典情報に対応する電子クーポンを当該顧客ユーザの端末に表示させて、その当該カードによって前記店舗にてサービス、商品などの提供を受けることができるになっていることを特徴とするカードによる顧客増大と広告システムである。【００２３】広告付きカード提供サービスが管理事業者となって広告付きカードを複数の人に配布し、前記管理事業者から前記カードを受け取った人が、それぞれ、他の顧客ユーザとして当該カードに付された広告に関連するネットショップにアクセスするよう誘導する広告とサービス提供・授受方法であって、前記カードの各々に、前記店舗の希望する事業情報と共に、当該店舗会員が選択したデザインの広告と当該広告に関連する所定の特典情報と固有のＱＲコードによる識別情報とを表示し、且つ、前記ＱＲコード識別情報には当該カードに固有の識別コード、前記ネットショップのサイト情報及び前記ネットショップの店舗識別状況を包含させ、前記ネットショップとの間でデータ通信が管理事業者サーバ装置を設け、前記カードの各々に付された前記カード識別コードと、当該カードに付された前記広告に対応する広告情報及び特典情報と、前記会員の識別コードとを関連づけて、前記サーバ装置内のデータベースに保存し、前記カードに付された前記ネットショップのサイト情報に基づいて、前記顧客の端末が前記ネットショップのサイトにアクセスすると、前記データベースを検索して、当該カードに付されている前記カードにおける識別コードから当該カードを配布した前記店舗会員を特定し、前記ネットショップのサイトを通じて前記店舗会員の連絡先情報と前記店舗識別コードを前記サーバ装置に転送し、前記サーバ装置が前記顧客の端末から前記店舗会員のネットショップでの購買を行うとの情報を受信すると、店舗会員としてメッセージを当該顧客の端末に表示させ、当該顧客の端末から情報を受信すると、前記データベースを検索して、当該カードに付された前記特典情報に対応する特典を当該顧客に付与する旨を当該顧客の端末に表示することを特徴とするカードによる顧客増大と広告システム。【００２４】店舗会員が申込時に前記カードに付されるデザインと広告内容とを複数個表示され、それらデザインと広告内容との中から自己の嗜好に合わせて、前記カードの申込時に、他の店舗会員と同一デザインと広告を付した前記カードが同一或いは、類似したものが存在しているが判定した後に、前記店舗会員に対して当該カードを発行できるようにしている。【００２５】前記広告付きカード提供サービスが、店舗会員の広告主がアクセス可能な広告申込用サイトを有しており、当該広告申込用サイトを通じてオンラインで広告デザイン用の画像と文言が送信され、広告付きカード提供サービスが店舗会員となって広告付きカードを複数の人に配布し、前記管理事業者又は店舗会員から前記カードを受け取った人が、それぞれ、顧客会員として当該カードに付された広告に関連する店舗に出向くよう誘導する広告、サービス提供・授受システムであって、前記顧客会員の各々の端末がネットワークを介してアクセス可能な管理事業者サーバ装置と、前記サーバ装置内に設けられたデータベースとを備え、前記カードの各々には、前記事業者の希望する企業情報と共に、当該事業者会員が選択したデザインの広告と説明文など当該広告に関連する所定の特典情報と固有の情報とが表示され、且つ、前記カード識別情報には当該カードに固有の識別コード及び所定のサイト情報を包含せしめられて、前記データベースには、前記カードの各々に付された前記識別コードと、当該カードに付された前記広告に対応する広告情報及び特典情報と、前記会員の識別コードとが関連づけて保存されており、前記カードに付された前記サイト情報に基づいて、前記顧客の端末が所定の管理事業者のサイトにアクセスすると、前記データベースを検索して、当該カードに付されている店舗会員のＱＲコードの識別コードから当該カードを配布した前記店舗会員を特定し、前記顧客の連絡先情報とを前記顧客の端末を用いて所定の管理事業者サイトに送信すると、当該カードに付された前記特典情報に対応する電子クーポンを当該店舗ユーザの端末に表示されているカードによる顧客増大と広告システムである。【００２６】地域通貨の目的は、他所で使われる分を、その地域で使ってもらうことにより、消費を喚起することを目的としています。行政や商工会が広告や印刷の費用のいくらかを負担し、その通貨を購買してもらうために、１０００円券なら、１１００円の価値を付けて販売している。期間が来れば、商店は手数料を払って現金に換金できる。また逆に通貨としての価値と信用性を維持するために余分なコストが生じる。【００２７】ボランティアに対する報酬としての側面として、今後少子高齢化にともない、職員以外にもボランティアの協力が必要になる。スマイルカードをボランティアに提供することで、報酬の代わりとすることができるとともに、協力店もまた、ボランティアに参加できることになる。製造業は、物を作るという実質的な成果を得ることができるが、サービス業の場合、数字や売上しか成果が反映できない。その上、医療・介護系の職種では、労働が売上や収入に反映される訳でもなく、成果が正確に判断される事はない。そこに、医療・介護系の定着率の低さが有るとも言える。医療・介護系の仕事のモチベーションを上げるものは、患者さんやお客様の感謝の言葉になる。
【発明の効果】
【００２８】本発明の顧客増大と広告システムによれば、（ａ）広告付きのカードを使用することによって低コストでいっそう高い広告効果が期待できる、（ｂ）カードを受け取った人を広告に関連する管理事業者が店舗等に効果的に勧誘できる、（ｃ）配布したカードによって広告に関連する商品またはサービスの売上増加につながると、そのカードを配布した人にサービスと報酬が支払われる、（ｄ）カードの配布を通じて店舗会員の数を増やすことができる、（ｅ）管理事業者及び顧客の全動向をリアルタイムでトラッキング（追跡）可能である効果が得られる。【００２９】販売に伴う割引情報や販売情報などを所定の管理サーバに蓄積しておき、移動端末と販売店側の会員側端末との間で近距離通信システムによって、顧客の端末ＩＤ情報を送受したり、販売情報およびポイント情報を送受することにより、販売店舗店側がポイント情報を得てサービスと割引販売を受けることができるようになる。
【図面の簡単な説明】
【００３０】
【図１】本発明の第１実施形態に係る広告システムの概略構成を示す概念図である。
【図２】本発明の第１実施形態に係る広告システムにおける広告主、カード発行サービス提供会社、店舗スタッフの動作を示すフローチャートである。
【図３】本発明の第１実施形態に係る広告システムで使用されるＱＲコード付きカードの一例を示す概念図である。
【図４】本発明の第１実施形態に係る広告システムの詳細構成を示す機能ブロック図である。
【図５】本発明の第１実施形態に係る広告システムに使用されている広告システム用サーバ装置の内部構成を示す機能ブロック図である。
【図６】ＱＲコード付きカードであるスマイルカードシステムの構図である。
【図７】ＱＲコード付きカードであるスマイルカードシステムの発行元状況の図である
【発明を実施するための形態】
【００３１】以下、本発明の好適な実施の形態について、添付図面を参照して詳細に説明する。図１は、本発明の実施形態に係る、広告付きのカードを用いる広告システムの概略構成を示す概念図である。本発明の実施形態に係る広告方法は、当該広告システムを用いて実行される。
【００３２】実施形態に係る広告システムは、図１に示すように、広告システム用サーバ装置を備えている。この広告システムは、インターネット上に開設された、広告付きカードを広告事業に依頼して管理事業者が発行するようなウェブサイトを開設しているが、このウェブサイトは管理事業者のサーバ装置によって実現されている。当該管理事業者は、このウェブサイトを通じて、一般顧客会員に広告付きカードを無料で作成して送付するサービス（以下、「広告付きカード提供サービス」という）を提供する。このサービスを受けることを望む人は当該ウェブサイトで所定の個人情報を登録して「会員」になる。
【００３３】広告付きカード提供サービスで提供されるカードの一例を図３に示す。カード表面に、当該店舗が選択したデザインの広告と当該広告に関連する所定の特典情報と固有のＱＲコード識別情報とを表示し、且つ、前記ＱＲコードには当該カードに識別コード及び所定のサイト情報を包含させている。
【００３４】広告付きカードに付された識別コード（シリアル番号）は、そのカードに固有のものである。顧客会員自身が受け取ったカードを用いていずれかの店舗会員で特典を得ると、その事実は所定のカード情報データベースに記録され、その後は、当該識別コード（シリアル番号）を持つカードを再度使用して特典を得ることはできないようになっている。
【００３５】カードの裏面には、そのほぼ全面にわたって広告情報領域が形成されているこの広告情報領域には、当該店舗会員が選んだデザインの広告（ここでは広告主店舗のロゴと商品の画像及び名称を含んでいる）が記載されている。広告情報領域の中に特典情報が記載されているが、広告デザインによっては特典情報が存在しない場合もある。
【００３６】また、カードの態様は、図３の例に限定されるものではなく、店舗情報を記載する店舗情報領域と、特典情報を記載する特典情報領域と、広告情報を記載する広告情報領域とを備えていると共に、カードの任意の個所にＱＲコード等の必要なカード識別情報が記載されていれば足り、必要に応じて任意の態様に設定し得る。カード上に店舗情報領域、特典情報領域及び広告情報領域が存在し、必要なカード識別情報が付されていれば足りる。
【００３７】図４は、広告システムの詳細構成を示す機能ブロック図であり、Ａはシステムの情報の流れ、Ｂはシステムの物の流れ、Ｃはシステムの金の流れ、である。広告システムのハードウェア構成を示す機能ブロック図である。
【００３８】広告システム用サーバ装置は、インターネットに常時接続されている。ユーザ端末としては、携帯電話機が使用されており、基地局を介してインターネットに接続可能であると共に、サーバ装置との間でデータ通信が可能であり、また、組み込まれている画面上に種々の情報（メニュー、指令、メッセージ等）を表示可能である。また、当該パソコンと組み合わせられた、あるいは当該パソコン中に組み込まれたディスプレイ装置の画面上に、種々の情報を表示可能である。
【００３９】店舗会員の端末としては、管理事業者端末と同じ携帯電話機が使用されており、インターネットに接続可能であると共に、サーバ装置との間で管理事業者端末と同様のデータ通信が可能であり、組み込まれている画面上に同様の情報を表示可能である。顧客端末としても、携帯電話機が使用されており、インターネットに接続可能であると共に、サーバ装置との間で店舗会員端末と同様のデータ通信が可能であり、また、組み込まれている画面上に同様の情報を表示可能である。
【００４０】顧客会員情報データベースは、会員情報として広告付きカードを提供するサービスを受けられる顧客会員に関する個人情報を保存している。認証サーバにより、特定の会員に関する個人情報の読み出し、書き込み、更新等が行われる。また、当該サービスの会員として仮登録された子ユーザの個人情報の保存、読み出し、書き込み、更新等も行われる。
【００４１】メールサーバは、サーバ装置を経由する電子メールの送信及び受信を制御する。また、新たな広告デザインが追加された旨やキャンペーンの開催等を会員に告知するために、定型的な電子メールを自動発信する作業等も行う。上述した当該広告会社のウェブサイトを管理・制御する。
【００４２】カード情報でのデータベースは、発行されたカードに係る情報を保存するデータベースである。カード情報のデータベースのテーブルは、各カードに付された固有のカード・シリアル番号、当該カードに付された広告デザイン（広告デザインＩＤ）、当該カードを配布した管理事業者の識別コード、当該カードに付されたＱＲコードの識別コード（ＱＲコードＩＤ）、当該カードの発行枚数とその使用状況、等の各種情報を保存することができる。
【００４３】店舗会員での情報データベースは、店舗情報として、当該広告付きカード提供サービスに対して広告を依頼した広告主に関連する店舗の名称、住所、種類、取扱商品・サービスの内容、店長の氏名・連絡先、ネットショップの各種情報を保存するデータベースである。データベースサーバは、必要に応じて、店舗情報データベースに対して特定の店舗情報の読み出し、書き込み、更新等を行う。
【００４４】ＱＲコード識別情報と、ＱＲコードそれ自体の作製に必要な各種情報と、生成されたＱＲコードの画像情報等を保存するデータベースである。データベースサーバは、必要に応じて、ＱＲコード情報データベースから特定のＱＲコード情報の読み出し、書き込み、更新等を行う。
【００４５】広告情報データベースは、「広告情報」、つまり当該広告会社が作成した種々の広告デザインに係る情報と、広告主に係る情報とを保存するデータベースである。データベースサーバは、必要に応じて、広告情報データベースに対して特定の広告デザインや広告主に係る情報の読み出し、書き込み、更新等を行う。
【００４６】クーポン情報データベースは、種々の電子クーポンを生成・表示するための情報（つまり「クーポン情報」）を保存するデータベースである。データベースサーバは、必要に応じて、クーポン情報データベースに対して特定のクーポン情報の読み出し、書き込み、更新等を行う。
【実施例１】
【００４７】図６は、本発明の実施形態に係る広告方法を示すフローチャートである。この広告方法は、広告主自身が当該広告会社のウェブサイトにアクセスして、広告申込から広告用画像及び文言のアップロードすることにより、カードに記載される広告の申込をオンラインでできるようにしたものである。【００４８】その後、当該広告は、申し込んできた店舗企業の与信審査と、アップロードされた広告デザイン画像が掲載可能かどうかの判断とを行う。その結果、審査と広告デザイン画像の少なくとも一方が不可と判断されると、審査と広告デザイン画像の双方が可と判断されると、正式申込が可能である旨の通知と共に、電子メールで当該広告主の担当者あて送信する。【００４９】その後、当該店舗広告者は、入力された店舗情報と、アップロードされた広告デザイン画像及び文言を広告情報データベースに記録する。こうして記録された各種情報は、図に示すような企業・画像・不可画像一覧画面から検索できるようになっている。店舗一覧をクリックすると、店舗名と企業情報を一覧表示する企業一覧画面が表示される。画面で所望の店舗を選択し、ＯＫボタンをクリックすると、選択した企業がアップロードした広告デザイン用画像が表示される。【００５０】広告方法では、上述した実施形態に係る広告システム及び広告方法と同様の効果に加えて当該広告依頼の店舗を訪問して面談をしなくても、店舗広告主自身がオンラインで広告申込を行うことができる。また、当該広告企業には、広告に関する情報の管理が容易である。
【実施例２】
【００５１】管理事業者は、広告付きカード提供サービスの顧客会員に親ユーザとなって広告付きカードを複数の人に配布し、前記管理事業者から前記カードを受け取った人が、当該カードに付された広告に関連する店舗に出向くよう誘導する広告とサービス提供・授受方法であって、前記カードの各々に、前記顧客会員の希望する店舗情報と共に、当該店舗が選択したデザインの広告と当該広告に関連する所定の特典情報と固有のＱＲコード識別情報とを表示し、且つ、前記ＱＲコードには当該カードに識別コード及び所定のサイト情報を包含させたものを発行した。【００５２】前記カードの各々に付された前記カードには識別コードと、当該カードに付された前記店舗の広告に対応する広告情報及び特典情報と、前記会員の識別コードとを関連づけて、前記管理事業者のサーバ装置内のデータベースに保存し、前記カードに付された前記サイト情報に基づいて、前記顧客ユーザの端末が所定の管理事業者のサイトにアクセスして、前記データベースを検索すると、当該カードに付されている前記ＱＲコードから当該カードを配布した前記店舗会員を特定した。このカードをスマイルカードとして使用して顧客会員が各々利用した。【００５３】また前記管理事業者のサーバに、店舗識別コードと前記顧客ユーザの連絡先情報とを前記顧客ユーザの端末を用いて送信すると、前記管理事業者のサーバから要望する店舗の状況と識別コードと当該顧客ユーザの連絡先情報とが送信されて、当該カードに付された前記特典を示した。上記スマイルカードとして利用して介護施設での職員と利用者が活用した。【００５４】グループホームの介護職員は、構造的に仕事量に対して賃金は低いため、離職率が高いのが施設の問題点としてあげられる。一方、介護を受ける側の入所者は年金生活のため、自由に使えるお金が限られている。これらを考慮して介護職員に感謝の印しとしてスマイルカードを使用した。まず  入所者２０人に各自、３枚ずつ配り、『お世話になった人、好きな人に”ありがとう“と書いて渡して下さい』と説明して渡した。  カードには当院で行っている、栄養注射が定価５００円を１００円引きで利用可能と明記しており、入所者１８人は、同じ施設入所者どうしや介護スタッフ、家族とその友人にカードを渡して、サービスとして活用され、広告記載で宣伝にも役立った。【００５５】その後１週間以内に、介護スタッフ５名、家族２名、友人３名が来院し注射を行い、全体で４０００円の売り上げであるが、原価（１００円）を考えると、利益は３０００円となった。またカードとして通常の美容外科の広告費６０％から考えると、広告しての価値は十分にあり、さらに来院時に携帯メールアドレスを収得しているうえ、使用したカードは再利用するため、カード作成の費用は無視することができた。また広告を出した店舗、またカードを使用した顧客にも利潤につながった。【００５６】カード使用後の施設内の効果として、コミニュケーションが向上し、入所者と介護士、入所者間、介護士間の融和が進み、また注射の効果から介護士の疲労感の訴えも減少し、施設オーナーからの感謝も伝えられた。  カードを利用した介護士はリーピーターとなり当院は新たな顧客を得ることができた。
【実施例２】
【００５７】クリスマス会でボランティアの方１０人にお礼として広告付きスマイルカードを渡して、謝礼とした。スマイルカードの説明書には、広告と併せて、１５０００円のエステコースに対して５０００円分の割引券として“金券”として使えることが明記されており、カードを受け取った方の数人がエステを利用した。広告を出したエステの店舗は、客の増員によって、売り上げが上がった。
【符号の説明】
【００５８】１  広告システム用サーバ装置
２  携帯電話機
３  表示部
４  本体
５  広告付き名刺状カード
６  個人情報表示
７  特典情報領域
８  ＱＲコード
９  広告情報領域
【図１】
2015185155.tif 000003
【図２】
2015185155.tif 000004
【図３】
2015185155.tif 000005
【図４】
2015185155.tif 000006
【図５】
2015185155.tif 000007
【図６】
2015185155.tif 000008
【図７】
2015185155.tif 000009